(57)【要約】【課題】端末装置は、制御用端末装置と接続して消費電力を削減する。【解決手段】本発明の端末装置は、基地局装置と無線通信を行う機能を有する制御用端末装置と接続し、無線パラメータを前記制御用端末装置から受信する接続部と、前記無線パラメータを用いてデータを前記基地局装置に送信する送信部と、を備える。または、本発明の端末装置は、基地局装置から無線パラメータを受信する受信部と、データ送信機能を有するエンド端末装置と接続し、前記無線パラメータを含むパラメータを前記エンド端末装置に送信する接続部と、を備える。【選択図】図５
2018195862.tif 000002
【特許請求の範囲】
【請求項１】
基地局装置と無線通信を行う機能を有する制御用端末装置と接続し、無線パラメータを前記制御用端末装置から受信する接続部と、
前記無線パラメータを用いてデータを前記基地局装置に送信する送信部と、
を備える端末装置。
【請求項２】
前記無線パラメータは、データを送信する周波数帯、データを送信する周期、データを送信するタイミング、データを送信するサブキャリア、システム帯域幅、の少なくとも１つを含む請求項１に記載の端末装置。
【請求項３】
前記接続部は、前記制御用端末装置に、自身の位置情報を送信する請求項１または２に記載の端末装置。
【請求項４】
前記無線パラメータは、自身が前記基地局装置にデータを送信するためのパラメータである請求項１から３のいずれかに記載の端末装置。
【請求項５】
前記無線パラメータは、自身が前記制御用端末装置にデータを送信するためのパラメータを含む請求項１から３のいずれかに記載の端末装置。
【請求項６】
基地局装置から無線パラメータを受信する受信部と、
データ送信機能を有するエンド端末装置と接続し、前記無線パラメータを含むパラメータを前記エンド端末装置に送信する接続部と、
を備える端末装置。
【請求項７】
前記無線パラメータは、前記エンド端末装置が前記基地局装置にデータを送信するためのパラメータである請求項６に記載の端末装置。
【請求項８】
前記パラメータは、前記エンド端末装置が自身にデータを送信するためのパラメータを含む請求項６または７に記載の端末装置。
【請求項９】
前記データを前記基地局装置に送信する送信部を備え、
前記接続部は、前記エンド端末装置が送信した前記データを受信する
請求項８に記載の端末装置。
【請求項１０】
前記送信部は、
前記基地局装置に、自身または前記エンド端末装置の位置情報を送信する請求項９に記載の端末装置。
【請求項１１】
制御用端末装置及びエンド端末装置と通信する基地局装置であって、
前記制御用端末装置に無線パラメータを送信する送信部と、
前記エンド端末装置から前記無線パラメータに基づく信号を受信する受信部と、を備える基地局装置。
【請求項１２】
端末装置に実装される通信方法であって、
基地局装置と無線通信を行う機能を有する制御用端末装置と接続し、無線パラメータを前記制御用端末装置から受信する接続過程と、
前記無線パラメータを用いてデータを前記基地局装置に送信する送信過程と、
を備える通信方法。
【請求項１３】
端末装置に実装される通信方法であって、
基地局装置から無線パラメータを受信する受信過程と、
データ送信機能を有するエンド端末装置と接続し、前記無線パラメータを含むパラメータを前記エンド端末装置に送信する接続過程と、
を備える通信方法。
【請求項１４】
制御用端末装置及びエンド端末装置と通信する基地局装置に実装される通信方法であって、
前記制御用端末装置に無線パラメータを送信する送信過程と、
前記エンド端末装置から前記無線パラメータに基づく信号を受信する受信過程と、を備える通信方法。
【発明の詳細な説明】
【技術分野】
【０００１】
本発明は、端末装置、基地局装置および通信方法に関する。
【背景技術】
【０００２】
近年、無線通信技術の進化に伴い、多くのセンサーをばらまき、大量のデータを収集することが検討されている。３ＧＰＰ（3rd Generation Partnership Project）によるＬＴＥ（Long Term Evolution）及びＬＴＥ−Ａ（LTE-Advanced）は代表的な無線通信規格で
あり、増大を続ける無線トラフィックに対応できる規格として注目されている。これらの詳細は非特許文献１に記載されている。
【先行技術文献】
【非特許文献】
【０００３】
【非特許文献１】３ＧＰＰ  ＴＳ  ３６．３００  Ｖ１２．５．０、“３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）  ａｎｄ  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）；Ｏｖｅｒａｌｌ  ｄｅｓｃｒｉｐｔｉｏｎ；Ｓｔａｇｅ  ２（Ｒｅｌｅａｓｅ  １２）、”  ２０１５年  ３月。
【発明の概要】
【発明が解決しようとする課題】
【０００４】
しかしながら、非特許文献１に記載の方法では、消費電力が大きいためセンサーのような小型端末ではバッテリーがすぐに枯渇するため、多くのセンサーをばらまくのが困難であるという問題がある。
【０００５】
本発明はこのような事情を鑑みてなされたものであり、その目的は、消費電力を抑えたデータ収集が可能な端末装置、基地局装置および通信方法を提供することにある。
【課題を解決するための手段】
【０００６】
上述した課題を解決するために本発明に係る端末装置、基地局装置および通信方法の構成は、次の通りである。
【０００７】
本発明の端末装置は、基地局装置と無線通信を行う機能を有する制御用端末装置と接続し、無線パラメータを前記制御用端末装置から受信する接続部と、前記無線パラメータを用いてデータを前記基地局装置に送信する送信部と、を備える。
【０００８】
また、本発明の端末装置において、前記無線パラメータは、データを送信する周波数帯、データを送信する周期、データを送信するタイミング、データを送信するサブキャリア、システム帯域幅、の少なくとも１つを含む。
【０００９】
また、本発明の端末装置において、前記接続部は、前記制御用端末装置に、自身の位置情報を送信する。
【００１０】
また、本発明の端末装置において、前記無線パラメータは、自身が前記基地局装置にデータを送信するためのパラメータである。
【００１１】
また、本発明の端末装置において、前記無線パラメータは、自身が前記制御用端末装置にデータを送信するためのパラメータを含む。
【００１２】
本発明の端末装置は、基地局装置から無線パラメータを受信する受信部と、データ送信機能を有するエンド端末装置と接続し、前記無線パラメータを含むパラメータを前記エンド端末装置に送信する接続部と、を備える。
【００１３】
また、本発明の端末装置において、前記無線パラメータは、前記エンド端末装置が前記基地局装置にデータを送信するためのパラメータである。
【００１４】
また、本発明の端末装置において、前記パラメータは、前記エンド端末装置が自身にデータを送信するためのパラメータを含む。
【００１５】
また、本発明の端末装置において、前記接続部は、前記エンド端末装置が送信した前記データを受信し、前記送信部は、前記データを前記基地局装置に送信する。
【００１６】
また、本発明の端末装置において、前記送信部は、前記基地局装置に、自身または前記エンド端末装置の位置情報を送信する。
【００１７】
本発明の基地局装置は、制御用端末装置及びエンド端末装置と通信する基地局装置であって、前記制御用端末装置に無線パラメータを送信する送信部と、前記エンド端末装置から前記無線パラメータに基づく信号を受信する受信部と、を備える。
【００１８】
本発明の通信方法は、端末装置に実装される通信方法であって、基地局装置と無線通信を行う機能を有する制御用端末装置と接続し、無線パラメータを前記制御用端末装置から受信する接続過程と、前記無線パラメータを用いてデータを前記基地局装置に送信する送信過程と、を備える。
【００１９】
本発明の通信方法は、端末装置に実装される通信方法であって、基地局装置から無線パラメータを受信する受信過程と、データ送信機能を有するエンド端末装置と接続し、前記無線パラメータを含むパラメータを前記エンド端末装置に送信する接続過程と、を備える。
【００２０】
本発明の通信方法は、制御用端末装置及びエンド端末装置と通信する基地局装置に実装される通信方法であって、前記制御用端末装置に無線パラメータを送信する送信過程と、前記エンド端末装置から前記無線パラメータに基づく信号を受信する受信過程と、を備える。
【発明の効果】
【００２１】
本発明によれば、端末装置は、消費電力を削減することができる。
【図面の簡単な説明】
【００２２】
【図１】本実施形態に係る通信システムの例を示す図である。
【図２】本実施形態に係る通信システムの例を示す図である。
【図３】本実施形態における基地局装置の処理の流れを示す図である。
【図４】本実施形態における第１の端末装置の構成を示す概略ブロック図である。
【図５】本実施形態における第２の端末装置の構成を示す概略ブロック図である。
【発明を実施するための形態】
【００２３】
本実施形態における通信システムは、基地局装置（送信装置、セル、送信点、送信アンテナ群、送信アンテナポート群、コンポーネントキャリア、ｅＮｏｄｅＢ）および端末装置（端末、移動端末、受信点、受信端末、受信装置、受信アンテナ群、受信アンテナポート群、ＵＥ）を備える。
【００２４】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２５】
図１は、本実施形態に係る通信システムの例を示す図である。図１に示すように、本実施形態における通信システムは、基地局装置１、端末装置２を備える。また、カバレッジ１−１は、基地局装置１が端末装置と接続可能な範囲（通信エリア）である。
【００２６】
図１において、端末装置２から基地局装置１への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２７】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００２８】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。
【００２９】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３０】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control）層において処理（送信）される情報／信号である。
【００３１】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３２】
ＰＲＡＣＨは、ランダムアクセスプリアンブルを送信するために用いられる。
【００３３】
また、上りリンクの無線通信では、上りリンク物理信号として上りリンク参照信号（Up
link Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３４】
ＤＭＲＳは、ＰＵＳＣＨまたはＰＵＣＣＨの送信に関連する。例えば、基地局装置１は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１は、上りリンクのチャネル状態を測定するためにＳＲＳを使用する。
【００３５】
図１において、基地局装置１から端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００３６】
ＰＢＣＨは、端末装置２で用いられるマスターインフォメーションブロック（Master Information Block: MIB, Broadcast Channel: BCH）を報知するために用いられる。ＰＣ
ＦＩＣＨは、ＰＤＣＣＨの送信に用いられる領域（例えば、ＯＦＤＭシンボルの数）を指示する情報を送信するために用いられる。
【００３７】
ＰＨＩＣＨは、基地局装置１が受信した上りリンクデータに対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。
【００３８】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００３９】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４０】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４１】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４２】
例えば、上りリンクに対するＤＣＩフォーマットには、ＰＵＳＣＨのリソース割り当て
に関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４３】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００４４】
また、上りリンクに対するＤＣＩフォーマットは、端末装置が基地局装置にフィードバックするチャネル状態情報報告(CSI feedback report, CSI reporting)をマップする上りリンクリソースを示す設定のために用いることができる。例えば、チャネル状態情報報告は、定期的（周期的）にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４５】
例えば、チャネル状態情報報告は、不定期（非周期的）なチャネル状態情報（Aperiodic CSI）を報告する上りリンクリソースを示す設定のために用いることができる。チャネ
ル状態情報報告は、不定期的にチャネル状態情報を報告するモード設定（CSI reporting mode）のために用いることができる。基地局装置１は、前記定期的なチャネル状態情報報告又は前記不定期的なチャネル状態情報報告のいずれかを設定することができる。また、基地局装置１は、前記定期的なチャネル状態情報報告及び前記不定期的なチャネル状態情報報告の両方を設定することもできる。
【００４６】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００４７】
また、前記上りリンクに対するＤＣＩフォーマットにおいて、前記定期的なチャネル状態情報報告又は前記不定期的なチャネル状態情報報告と前記チャネル状態情報報告の種類を含めたモード設定のために用いることができる。例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩ及び狭帯域ＣＳＩを報告するモード、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩ及び狭帯域ＣＳＩを報告するモードなどがある。
【００４８】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００４９】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００５０】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００５１】
また、ＰＤＳＣＨは、ＲＲＣメッセージを送信するために用いられる。ここで、基地局装置１から送信されるＲＲＣメッセージは、セル内における複数の端末装置２に対して共通であっても良い。また、基地局装置１から送信されるＲＲＣメッセージは、ある端末装置２に対して専用のメッセージ（dedicated signalingとも称する）であっても良い。す
なわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００５２】
ここで、ＲＲＣメッセージおよび／またはＭＡＣ  ＣＥを、上位層の信号（higher layer signaling）とも称する。
【００５３】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００５４】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００５５】
ここで、下りリンク参照信号には、ＣＲＳ（Cell-specific Reference Signal）、ＰＤＳＣＨに関連するＵＥＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５６】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５７】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５８】
ＮＺＰ  ＣＳＩ−ＲＳのリソースは、基地局装置１によって設定される。例えば、端末装置２は、ＮＺＰ  ＣＳＩ−ＲＳを用いて信号の測定（チャネルの測定）を行なう。ＺＰ
ＣＳＩ−ＲＳのリソースは、基地局装置１によって設定される。基地局装置１は、ＺＰ
ＣＳＩ−ＲＳをゼロ出力で送信する。例えば、端末装置２は、ＮＺＰ  ＣＳＩ−ＲＳが対応するリソースにおいて干渉の測定を行なう。
【００５９】
ここで、下りリンク物理チャネルおよび下りリンク物理信号を総称して、下りリンク信号とも称する。また、上りリンク物理チャネルおよび上りリンク物理信号を総称して、上
りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６０】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００６１】
図２は、本実施形態に係る通信システムの例を示す図である。図２に示すように、本実施形態における通信システムは、基地局装置１、第1の端末装置（制御用端末装置）２ａ
、第２の端末装置２ｂ−１、２ｂ−２、及び２ｂ−３を備える。第２の端末装置（エンド端末装置）２ｂ−１、２ｂ−２、及び２ｂ−３を併せて第２の端末装置２ｂとも称する。例えば、第２の端末装置はセンサーとして用いることができる。また、図中で第２の端末装置２ｂの数は３であるが、別の数であっても良い。
【００６２】
図３は、本実施形態における基地局装置の構成を示す概略ブロック図である。図３に示すように、基地局装置は、上位層処理部１０１、制御部１０２、送信部１０３、受信部１０４、送受信アンテナ１０５と端末情報処理部１０６を含んで構成される。また、上位層処理部１０１は、無線リソース制御部１０１１、および、スケジューリング部１０１２を含んで構成される。また、送信部１０３は、符号化部１０３１、変調部１０３２、下りリンク参照信号生成部１０３３、多重部１０３４、無線送信部１０３５を含んで構成される。また、受信部１０４は、無線受信部１０４１、多重分離部１０４２、復調部１０４３、復号部１０４４を含んで構成される。また、端末情報処理部１０６は、無線パラメータ制御部１０６１と無線パラメータ登録部１０６２を含んで構成される。
【００６３】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００６４】
上位層処理部１０１は、端末装置の機能（UE capability）等、端末装置に関する情報
を端末装置から受信する。言い換えると、端末装置は、自身の機能を基地局装置に上位層の信号で送信する。
【００６５】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。例えば、その端末装置が所定の機能をサポートする場合、その端末装置が所定の機能をサポートするかどうかを示す情報、または、その端末装置が所定の機能に対する導入およびテストの完了を示す情報を送信する。その端末装置が所定の機能をサポートしない場合、その端末装置が所定の機能をサポートするかどうかを示す情報、または、その端末装置が所定の機能に対する導入およびテストの完了を示す情報を送信しない。すなわち、その端末装置が所定の機能をサポートするかどうかを示す情報、または、その端末装置が所定の機能に対する導入およびテストの完了を示す情報を送信するかどうかが、その端末装置が所定
の機能をサポートするかどうかを示す。
【００６６】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００６７】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成し、又は上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。
【００６８】
スケジューリング部１０１２は、スケジューリング結果に基づき、物理チャネル（ＰＤＳＣＨおよびＰＵＳＣＨ）のスケジューリングに用いられる情報を生成する。スケジューリング部１０１２は、生成した情報を制御部１０２に出力する。
【００６９】
制御部１０２は、上位層処理部１０１から入力された情報に基づいて、送信部１０３および受信部１０４の制御を行なう制御信号を生成する。また、制御部１０２は、上位層処理部１０１から入力された情報に基づいて、ＭＣＳを決定する。また、制御部１０２は、上位層処理部１０１から入力された情報に基づいて、コードワード数を決定する。また、制御部１０２は、上位層処理部１０１から入力された情報に基づいて、レイヤ数、アンテナポート番号、スクランブリングアイデンティティ（スクランブリング識別子、scrambling identity）を決定する。
【００７０】
制御部１０２は、上位層処理部１０１から入力された情報に基づいて、下りリンク制御情報を生成し、送信部１０３に出力する。基地局装置がプライマリセルである場合は、セカンダリセルの上位層の設定情報を下りリンク制御情報に含めても良い。
【００７１】
制御部１０２は、端末情報処理部１０６から入力された情報に基づいて、第２の端末装置が用いる無線パラメータをダウンリンクの信号に含めることができる。
【００７２】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。なお、基地局装置は、第２のフレーム構造を用いる場合、少なくともＰＤＳＣＨを多重し、下りリンク制御情報を多重しないようにすることができる。また、第２のフレーム構造では、第１のフレーム構造と比べて、下りリンク参照信号の周波数間隔／時間間隔を広くすることができる。また、基地局装置は、第２のフレーム構造に割り当てた信号の制御情報は、第１のフレーム構造を用いて送信することができる。
【００７３】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。
【００７４】
変調部１０３２は、符号化部１０３１から入力された符号化ビットをＢＰＳＫ（Binary
Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、ま
たは無線リソース制御部１０１１が決定した変調方式で変調する。
【００７５】
下りリンク参照信号生成部１０３３は、基地局装置１を識別するための物理セル識別子（ＰＣＩ）などを基に予め定められた規則で求まる、端末装置２が既知の系列を下りリンク参照信号として生成する。また、下りリンク参照信号生成部１０３３は、スクランブリングアイデンティティに基づいてＤＭＲＳを生成することができる。
【００７６】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００７７】
無線送信部１０３５は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにサイクリックプリフィックス（Cyclic Prefix: CP）を付加し、ベー
スバンドのディジタル信号を生成する。無線送信部１０３５は、フィルタリング、ＤＡ（Digital-to-Analog）変換、周波数変換、電力増幅等を用いることで、生成したベースバ
ンドのディジタル信号を所望帯域のアナログ信号に変換する。無線送信部１０３５は、生成したアナログ信号を送受信アンテナ１０５に出力して送信する。
【００７８】
受信部１０４は、制御部１０２から入力された制御信号に従って、送受信アンテナ１０５を介して端末装置２から受信した受信信号を分離、復調、復号し、復号した情報を上位層処理部１０１に出力する。
【００７９】
無線受信部１０４１は、周波数変換、フィルタリング、ＡＤ（Analog-to-Digital）変
換、振幅制御等を用いることで、送受信アンテナ１０５を介して受信された上りリンクの信号をベースバンドのディジタル信号に変換する。
【００８０】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行い、周波数領域の信号を抽出し多重分離部１０４２に出力する。
【００８１】
多重分離部１０４２は、無線受信部１０４１から入力された信号をＰＵＣＣＨ、ＰＵＳＣＨ、上りリンク参照信号などの信号に分離する。なお、この分離は、予め基地局装置１が無線リソース制御部１０１１で決定し、各端末装置２に通知した上りリンクグラントに含まれる無線リソースの割り当て情報に基づいて行なわれる。
【００８２】
また、多重分離部１０４２は、ＰＵＣＣＨとＰＵＳＣＨの伝搬路の補償を行なう。また、多重分離部１０４２は、上りリンク参照信号を分離する。
【００８３】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。なお、逆離散フーリエ変換は、ＰＵＳＣＨのサブキャリア数に応じた逆高速フーリエ変換であってもよい。
【００８４】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００８５】
復号部１０４４で復号された情報が第２の端末装置２ｂからの接続要求を含む場合、制御部１０２はその情報を端末情報処理部１０６へ出力する。
【００８６】
端末情報処理部１０６は、第２の端末装置２ｂの無線パラメータを決定する。例えば、無線パラメータ制御部１０６１は、第２の端末装置２ｂの無線パラメータを決定することができる。この決定は、既に登録されている端末情報に基づくことができる。無線パラメータ制御部１０６１は、決定した無線パラメータを第２の端末装置２ｂに送信するため、その情報を制御部１０２に出力する。
【００８７】
無線パラメータ登録部１０６２は、無線パラメータ制御部１０６１で決定した無線パラメータを端末情報として登録する。無線パラメータ制御部１０６１等は、登録された端末情報を読み出すことができる。
【００８８】
無線パラメータは、第２の端末装置２ｂから基地局装置１への通信で用いる周波数帯、第２の端末装置２ｂが用いるサブキャリア、第２の端末装置２ｂが送信を行う時間間隔、第２の端末装置２ｂの送信電力、第２の端末装置２ｂの位置、第２の端末装置２ｂのサブキャリア間隔、フィルタリングの有無、アンテナポート番号、割当て帯域幅等の一部又は全部を含む。例えば、第２の端末装置２ｂと接続している状態の第１の端末装置２ａの位置を、第２の端末装置２ｂの位置とすることができる。無線パラメータ制御部１０６１は、第２の端末装置２ｂのそれぞれに１サブキャリアを割当てることができる。割当てられるサブキャリアは、いずれの第２の端末装置にも割当てられていないサブキャリアから選ぶことができる。無線パラメータ制御部１０６１は、また、第２の端末装置２ｂのそれぞれに１リソースブロックを割当てることができる。割当てられるリソースブロックは、いずれの第２の端末装置にも割当てられていないリソースブロックから選ぶことができる。無線パラメータ制御部１０６１は、第２の端末装置２ｂのそれぞれに複数のサブキャリアを割当てることができる。割当てられる複数のサブキャリアは、いずれの第２の端末装置２ｂにも割当てられていないサブキャリアから選ぶことができる。また、無線パラメータ制御部１０６１は、第２の端末装置２ｂのそれぞれにアンテナポート番号を割当てることができる。また、無線パラメータ制御部１０６１は、いずれかの第２の端末装置２ｂを異なるサブキャリア間隔で割当てることができる。また、無線パラメータ制御部１０６１は、第２の端末装置２ｂのそれぞれに対し、フィルタリングの有無を選択することができる。フィルタリングすることを設定された第２の端末装置２ｂは、割当てられたサブキャリア又はリソースブロック数又は帯域幅に対してフィルタリングして信号を送信することができる。
【００８９】
図４は、本実施形態における第１の端末装置２ａの構成を示す概略ブロック図である。図４に示すように、端末装置は、上位層処理部２０１、制御部２０２、送信部２０３、受信部２０４、チャネル状態情報生成部２０５、送受信アンテナ２０６と接続部２０７を含んで構成される。また、上位層処理部２０１は、無線リソース制御部２０１１、およびスケジューリング情報解釈部２０１２を含んで構成される。また、送信部２０３は、符号化部２０３１、変調部２０３２、上りリンク参照信号生成部２０３３、多重部２０３４、無線送信部２０３５を含んで構成される。また、受信部２０４は、無線受信部２０４１、多
重分離部２０４２、信号検出部２０４３を含んで構成される。また、接続部２０７は、無線パラメータ制御部２０７１、無線パラメータ転送部２０７２を含んで構成される。接続部２０７は、第２の端末装置２ｂと接続することができる。この接続は、直接接続、有線、または無線で実現することができる。無線で実現する場合、第１の端末装置２ａから第２の端末装置２ｂへは、ＰＤＳＣＨによるダウンリンク信号で通信することができる。第２の端末装置２ｂから第１の端末装置２ａへは、ＰＵＳＣＨによるアップリンク信号で通信することができる。第１の端末装置２ａと第２の端末装置２ｂ間は、Ｄ２Ｄ（Device-to-Device）で通信することができる。これは以後も同様である。また、端末間で通信する場合、以下の物理チャネルを用いることができる。
・PSBCH (Physical Sidelink Broadcast CHannel)
・PSCCH (Physical Sidelink Control CHannel)
・PSDCH (Physical Sidelink Discovery CHannel)
・PSSCH (Physical Sidelink Shared CHannel)
【００９０】
ＰＳＢＣＨは、システム情報と同期関連情報を通知する。PSDCHは近接（隣接）端末を
発見するためのサイドリンクダイレクトディスカバリ(sidelink direct discovery)メッ
セージを通知する。PSSCHは、サイドリンク直接通信（sidelink direct communication）におけるユーザデータを通知する。PSCCHはサイドリンク直接通信における制御情報を通
知する。端末間通信（サイドリンク通信）の場合、端末装置は、端末間通信用のリソース群（リソースプール）で通信することができる。端末装置は、リソースプールのうち、基地局装置によって指示されたリソース、あるいは、端末装置が選択したリソースを用いて通信することができる。
【００９１】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【００９２】
上位層処理部２０１は、自端末装置がサポートしている端末装置の機能を示す情報を、送信部２０３に出力する。
【００９３】
無線リソース制御部２０１１は、自端末装置の各種設定情報の管理をする。また、無線リソース制御部２０１１は、上りリンクの各チャネルに配置される情報を生成し、送信部２０３に出力する。
【００９４】
スケジューリング情報解釈部２０１２は、受信部２０４を介して受信した下りリンク制御情報を解釈し、スケジューリング情報を判定する。スケジューリング情報解釈部２０１２は、自身宛のリソースエレメントでＮＯＭＡが行われているか否かを判断することができる。また、スケジューリング情報解釈部２０１２は、スケジューリング情報に基づき、受信部２０４、および送信部２０３の制御を行なうために制御情報を生成し、制御部２０２に出力する。
【００９５】
制御部２０２は、上位層処理部２０１から入力された情報に基づいて、受信部２０４、および送信部２０３の制御を行なう制御信号を生成する。制御部２０２は、生成した制御信号を受信部２０４、および送信部２０３に出力して受信部２０４、および送信部２０３の制御を行なう。制御部２０２は、端末情報等を含む上りリンク制御情報および上りリンクデータを送信部２０３に出力する。
【００９６】
制御部２０２は、チャネル状態情報生成部２０５が生成したＣＳＩを基地局装置に送信
するように送信部２０３を制御する。
【００９７】
制御部２０２は、接続部２０７から、第２の端末装置２ｂからの基地局装置１への接続要求を受け取った場合、その要求をアップリンクの信号に含めることができる。
【００９８】
受信部２０４は、制御部２０２から入力された制御信号に従って、送受信アンテナ２０６を介して基地局装置から受信した受信信号を、分離、復調、復号し、復号した情報を上位層処理部２０１に出力する。
【００９９】
無線受信部２０４１は、周波数変換、フィルタリング、ＡＤ変換、振幅制御等を用いることで、送受信アンテナ２０６を介して受信された下りリンクの信号をベースバンドのディジタル信号に変換する。
【０１００】
また、無線受信部２０４１は、変換したディジタル信号からＣＰに相当する部分を除去し、ＣＰを除去した信号に対して高速フーリエ変換を行い、周波数領域の信号を抽出する。
【０１０１】
多重分離部２０４２は、抽出した信号をＰＨＩＣＨ、ＰＤＣＣＨ、ＥＰＤＣＣＨ、ＰＤＳＣＨ、および／または下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。なお、受信信号が第２のフレーム構造を用いて送信された信号であった場合で、第２のフレーム構造では下りリンク制御情報が送信されない場合、多重分離部２０４２は、下りリンク制御情報の検出は行わない。また、制御部２０２は、ＰＤＳＣＨおよび所望信号のチャネル推定値を信号検出部２０４３に出力する。
【０１０２】
信号検出部２０４３は、ＰＤＳＣＨ、およびチャネル推定値を用いて、下りリンクデータ（トランスポートブロック）を検出し、上位層処理部２０１に出力する。
【０１０３】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置に送信する。
【０１０４】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１０５】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１０６】
上りリンク参照信号生成部２０３３は、基地局装置１を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１０７】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。なお、離散フーリエ変換はＰＵＣＣＨやＰＵＳＣＨのサブキャリア数に応じた高速フーリエ変換でもよい。
【０１０８】
無線送信部２０３５は、多重された信号を逆高速フーリエ変換して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成する。無線送信部２０３５は、フィルタリング、ＤＡ変換、周波数変換、電力増幅等を用いることで、生成したベースバンドのディジタル信号を所望帯域のアナログ信号に変換する。無線送信部２０３５は、生成したアナログ信号を送受信アンテナ２０６に出力して送信する。
【０１０９】
無線パラメータ制御部２０７１は、基地局装置１からのダウンリンク信号に含まれる第２の端末装置２ｂが用いる無線パラメータを検出する。無線パラメータ転送部２０７２は、第１の端末装置２ａが接続している第２の端末装置２ｂに無線パラメータを転送する。
【０１１０】
図５は、本実施形態における第２の端末装置２ｂの構成を示す概略ブロック図である。図５に示すように、端末装置は、データ測定部３０１、制御部３０２、送信部３０３、送信アンテナ３０６と接続部３０７を含んで構成される。また、送信部３０３は、符号化部３０３１、変調部３０３２、上りリンク参照信号生成部３０３３、多重部３０３４、無線送信部３０３５を含んで構成される。また、接続部３０７は、無線パラメータ受信部３０７１、無線パラメータ保存部３０７２を含んで構成される。接続部３０７は、第１の端末装置２ａと接続することができる。この接続は、直接接続、有線、または無線で実現することができる。
【０１１１】
データ測定部３０１は、データを測定する。例えば、データ測定部３０１は、温度、湿度、照度、水位等の測定値や、人感データを算出することができる。
【０１１２】
制御部３０２は、データ測定部３０１から入力された測定データ等の情報に基づいて、上りリンク制御情報を生成し、送信部３０３に出力する。制御部３０２は、接続部３０７から入力される無線パラメータに基づいて上りリンク制御情報を生成することができる。制御部３０２は、データ測定部３０１から入力された測定データ等の情報を上りリンクデータとして送信部３０３に出力する。
【０１１３】
送信部３０３は、制御部３０２から入力された制御情報に従って、上りリンク参照信号を生成し、制御部３０２から入力された上りリンクデータを符号化および変調し、ＰＵＣＣＨ、ＰＵＳＣＨ、および生成した上りリンク参照信号を多重し、送信アンテナ３０６を介して基地局装置に送信する。なお、ＰＵＣＣＨは、小電力端末装置向けに新たに策定された別のアップリンク制御信号用のチャネルに変更しても良い。ＰＵＳＣＨは、小電力端末装置向けに新たに策定された別のアップリンクデータ信号用のチャネルに変更しても良い。
【０１１４】
符号化部３０３１は、制御部３０２から入力された上りリンク制御情報を畳み込み符号化、ブロック符号化等の符号化を行う。また、符号化部３０３１は、ＰＵＳＣＨのスケジューリングに用いられる情報に基づきターボ符号化等の符号化を行う。
【０１１５】
変調部３０３２は、符号化部３０３１から入力された符号化ビットをＢＰＳＫ、ＱＰＳＫ、１６ＱＡＭ、６４ＱＡＭ等の変調方式で変調する。変調方式は、接続部３０７から入力された無線パラメータに含まれる情報を用いることができる。また、変調方式はチャネ
ル毎に予め定められたものを用いることができる。
【０１１６】
上りリンク参照信号生成部３０３３は、基地局装置１を識別するための物理セル識別子、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。これらパラメータは、接続部３０７から入力された無線パラメータに含まれる情報を用いることができる。
【０１１７】
多重部３０３４は、制御部３０２から入力された制御情報に従って、参照信号と上りリンクデータを多重する。例えば、１つのサブキャリアのみを用いて、参照信号と上りリンクデータを時間多重することができる。このとき、他の第２の端末装置２ｂと連携し、基地局装置１での受信信号がＯＦＤＭを形成するように送信が行われても良い。あるいは、複数のサブキャリアを用いて、参照信号または上りリンクデータにサブキャリア数に対応するＤＦＴを行い、結果を前記複数のサブキャリアにマッピングしても良い。サブキャリアの割当て情報は、接続部３０７から入力された無線パラメータに含まれる情報を用いることができる。
【０１１８】
無線送信部３０３５は、フィルタリング、ＤＡ変換、周波数変換、電力増幅等を用いることで、ベースバンドのディジタル信号を所望帯域のアナログ信号に変換する。ベースバンドのディジタル信号は、１つのサブキャリアのみを用いる場合、対応する回転子を乗算することで生成することができる。ベースバンドのディジタル信号は、複数のサブキャリアを用いる場合、マッピングされた信号にＩＦＦＴを行うことで生成することができる。無線送信部３０３５は、生成したアナログ信号を送信アンテナ３０６に出力して送信する。
【０１１９】
接続部３０７は、第１の端末装置２ａと接続することができる。この接続は無線または有線で実現することができる。例えば、第２の端末装置２ｂが初めて基地局装置１に接続する場合に、接続している第１の端末装置２ａを介して、接続要求を基地局装置１に送信することができる。第１の端末装置２ａが、基地局装置１が接続要求を基に決定した無線パラメータを受信し、第２の端末装置２ｂは、上記接続を介して、無線パラメータを第１の端末装置２ａから受け取ることができる。
【０１２０】
無線パラメータ受信部３０７１は、接続している第１の端末装置２ａから無線パラメータを受け取る。
【０１２１】
無線パラメータ保存部３０７２は、接続している第１の端末装置２ａから受け取った無線パラメータを保存する。
【０１２２】
上述のように、第１の端末装置２ａに受信機能を集約することで第２の端末装置２ｂは複雑な受信回路を不要とし、送信だけを行うことで低消費電力を実現することができる。このような第１の端末装置２ａを用いることで、低消費電力な通信システムを構築することができる。
【０１２３】
なお、第２の端末装置２ｂは、マルチキャスト／ブロードキャスト信号を受信する機能を備えることができる。例えば、第２の端末装置２ｂは、基地局装置からの信号により、位置情報の更新や時刻の修正等ができる。なお、更新した位置情報は、適宜基地局装置に送信される。
【０１２４】
なお、第２の端末装置２ｂの各々において備える機能やバージョンが異なる場合、第１の端末装置２ａは、各第２の端末装置２ｂの備える機能やバージョンを認識し、基地局装
置に送信することができる。また、第１の端末装置２ａは、基地局装置に、各第２の端末装置２ｂの備える機能やバージョンに対応した無線パラメータの設定を要求することができる。
【０１２５】
上記において、第２の端末装置２ｂが基地局装置１にデータを送信するための無線パラメータを、第１の端末装置２ａが基地局装置１との通信を用いて決定し、そのパラメータを第２の端末装置２ｂに転送（送信）する場合について説明した。第２の端末装置２ｂが第１の端末装置２ａにデータを送信し、第１の端末装置２ａが集めたデータを基地局装置１に送信するようにしてもよい。第１の端末装置２ａと第２の端末装置２ｂが無線で接続する場合、第１の端末装置２ａが第２の端末装置２ｂに転送（送信）する無線パラメータは、第２の端末装置２ｂが第１の端末装置２ａにデータを送信するための無線パラメータとすることができる。
【０１２６】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２７】
また市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１２８】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１２９】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１３０】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１３１】
本発明は、端末装置、基地局装置および通信方法に用いて好適である。
【符号の説明】
【０１３２】
１  基地局装置
２  端末装置
１−１  カバレッジ
２ａ  第１の端末装置
２ｂ−１、２ｂ−２、２ｂ−３  第２の端末装置
１０１  上位層処理部
１０２  制御部
１０３  送信部
１０４  受信部
１０５  送受信アンテナ
１０６  端末装置情報処理部
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
１０６１  無線パラメータ制御部
１０６２  無線パラメータ登録部
２０１  上位層処理部
２０２  制御部
２０３  送信部
２０４  受信部
２０５  チャネル状態情報生成部
２０６  送受信アンテナ
２０７  接続部
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
２０７１  無線パラメータ制御部
２０７２  無線パラメータ転送部
３０１  データ測定部
３０２  制御部
３０３  送信部
３０６  送信アンテナ
３０７  接続部
３０３１  符号化部
３０３２  変調部
３０３３  上りリンク参照信号生成部
３０３４  多重部
３０３５  無線送信部
３０７１  無線パラメータ受信部
３０７２  無線パラメータ保存部
【図１】
2018195862.tif 000003
【図２】
2018195862.tif 000004
【図３】
2018195862.tif 000005
【図４】
2018195862.tif 000006
【図５】
2018195862.tif 000007